(57)【要約】      （修正有）【課題】上フラップを容易かつ確実に折り曲げてロック状態を得ることのできる段ボール箱用シートを提供する。【解決手段】段ボール箱用シート１０は、１枚の段ボール紙からなり、４つの側壁を有する四角筒状部１３及び上記四角筒状部１３のうち少なくとも対向する一対の側壁の上縁から連結される上フラップ２０を備え、上記側壁及び上フラップ２０の連結部分に、上フラップ２０に向けて突出するコ字状の第一切込線２２Ａと、側壁に向けて突出するコ字状の第二切込線２２Ｂとを交互に有する段ボール箱用シートである。一対の上記第一切込線とその間の第二切込線２２Ｂとが連続して設けられている切込線群を構成するとよい。一の上フラップ２０の連結部分に、複数の上記切込線群とその切込線群間に形成される折り曲げ容易線を有するとよい。第二突起部２４の幅（Ｗ２）は第一突起部２３の幅（Ｗ１）の０．５倍以上３倍以下であるとよい。【選択図】図１
0003183443.tif 000002
【実用新案登録請求の範囲】
【請求項１】
１枚の段ボール紙からなり、
４つの側壁を有する四角筒状部及び上記四角筒状部のうち少なくとも対向する一対の側壁の上縁から連結される上フラップを備え、
上記側壁及び上フラップの連結部分に、上フラップに向けて突出するコ字状の第一切込線と、側壁に向けて突出するコ字状の第二切込線とを交互に有する段ボール箱用シート。
【請求項２】
一対の上記第一切込線とその間の第二切込線とが連続して設けられている切込線群を構成する請求項１に記載の段ボール箱用シート。
【請求項３】
一の上フラップの連結部分に、複数の上記切込線群とその切込線群間に形成される折り曲げ容易線を有する請求項２に記載の段ボール箱用シート。
【請求項４】
上記第二切込線の幅（Ｗ２）が第一切込線の幅（Ｗ１）の０．５倍以上３倍以下である請求項１、請求項２又は請求項３に記載の段ボール箱用シート。
【請求項５】
上記第一切込線又は第二切込線の突出高さ（Ｈ）が、上記段ボール紙の厚みの０．５倍以上１．５倍以下である請求項１から請求項４のいずれか１項に記載の段ボール箱用シート。
【請求項６】
請求項１から請求項５のいずれか１項に記載の段ボール箱用シートを組立ててなる段ボール箱。
【考案の詳細な説明】
【技術分野】
【０００１】
本考案は、段ボール箱用シート及び段ボール箱に関する。
【背景技術】
【０００２】
従来、段ボール箱は、輸送から商品陳列までの間、複数の商品をまとめて収容する容器として用いられている。このような段ボール箱用のシートは、１枚の段ボール紙からなり、４つの側壁を有する四角筒状部、及び上記側壁の上縁から連接される上フラップを備えているものが公知である。この上フラップは、四角筒状部の内側に折り曲げられて用いられる。
【０００３】
上述のように上フラップを折り曲げられた後に、上フラップが立ち上がり元に戻ることを防止するために側壁と上フラップとの連結部分にロック機構を設けた段ボール箱が提案されている（特開平７−２０５９５６号公報参照）。この段ボール箱は、上フラップの下縁から側壁に向けて突出するコ字状の複数の切込線を有し、この複数の切込線間に折り曲げミシン目が形成されている。このような構造は、折り曲げミシン目に沿って上フラップを折り曲げた際に切込線によって形成される突起部が側壁の上縁に当接することで、上フラップの立ち上がりを防止することを目的としている。
【０００４】
しかしながら、上記ロック機構を有する段ボール箱にあっては、上フラップを折り曲げた際に上述のように突起部が側壁の上縁に当接されるロック状態となりにくく、結果として上フラップが立ち上がってしまう。このため、例えば製函機により自動的に段ボール箱を組立てる場合、上述のロック状態が得られないため、人が上フラップを折り曲げる作業が別途必要となっている。
【先行技術文献】
【特許文献】
【０００５】
【特許文献１】特開平７−２０５９５６号公報
【考案の概要】
【考案が解決しようとする課題】
【０００６】
本考案はこれらの事情に鑑みてなされたものであり、上フラップを容易かつ確実に折り曲げてロック状態を得ることのできる段ボール箱用シート及び段ボール箱の提供を目的とするものである。
【課題を解決するための手段】
【０００７】
上記課題を解決するためになされた考案は、
１枚の段ボール紙からなり、
４つの側壁を有する四角筒状部及び上記四角筒状部のうち少なくとも対向する一対の側壁の上縁から連結される上フラップを備え、
上記側壁及び上フラップの連結部分に、上フラップに向けて突出するコ字状の第一切込線と、側壁に向けて突出するコ字状の第二切込線とを交互に有する段ボール箱用シートである。
【０００８】
当該段ボール箱用シートは、組立てられる際に上フラップを折り曲げると、第一切込線によって側壁には上方に向け突出するコ字状の第一突起部が形成され、第二切込線によって上フラップには側方に向け突出するコ字状の第二突起部が形成されることになる。そして、上記第一突起部が上フラップの下縁と当接するとともに第二突起部が側壁の上縁に当接することで、上フラップの立ち上がりが防止されたロック状態を得ることができる。
【０００９】
当該段ボール箱用シートにあっては、一対の上記第一切込線とその間の第二切込線とが連続して設けられている切込線群を構成するとよい。これにより、この切込線群によって、当該段ボール箱は一対の第一突起部の間に第二突起部が配設されることになり、より容易かつ確実にロック状態が得られる。特に、当該段ボール箱は湿気等によって段ボール紙が多少変形していても容易かつ確実にロック状態が得られる。これは、上フラップを折り曲げる際に段ボール紙が多少変形していても、まず一対の第一突起部又は第二突起部のいずれか一つの突起部が他方（上フラップの下縁又は側壁の上縁）に係合され、これに伴って段ボール紙の変形が是正されて他の突起部が他方に係合されるためと思われる。
【００１０】
当該段ボール箱用シートにあっては、一の上フラップの連結部分に、複数の上記切込線群とその切込線群間に形成される折り曲げ容易線を有するとよい。これにより、折り曲げ容易線に沿って上フラップを容易かつ確実に折り曲げることができ、また各切込線群により形成される第一突起部及びその間の第二突起部によって容易かつ確実にロック状態を得ることができる。
【００１１】
上記第二切込線の幅（Ｗ２）としては、第一切込線の幅（Ｗ１）の０．５倍以上３倍以下が好ましい。これにより、第一突起部及び第二突起部によってより容易かつ確実にロック状態を得ることができる。
【００１２】
上記第一切込線又は第二切込線の突出高さ（Ｈ）としては、上記段ボール紙の厚みの０．５倍以上１．５倍以下が好ましい。これにより、第一突起部及び第二突起部がそれぞれ上フラップの下縁及び側壁の上縁に的確に当接することができる。
【００１３】
また、上記課題を解決するためになされた考案は、上記構成からなる当該段ボール箱用シートが組み立てられて構成される段ボール箱である。当該段ボール箱は、上述のようなロック機構を有するため上フラップの立ち上がりが防止されたロック状態を容易かつ確実に得ることができる。
【００１４】
なお、第一切込線及び第二切込線が「コ字状」とは、各辺が直角に交わるような形状のほか、上フラップが折り曲げられた際に第一突起部及び第二突起部が確実にロック状態が得られるような形状であれば足りる。また、「交互」とは、第一切込線及び第二切込線の一方の両側に一対の他方が配設される領域が少なくとも一つ含まれていれば足り、例えば一対の切込線の間に第二切込線が配設されていれば足りる。
【考案の効果】
【００１５】
以上説明したように、本考案の段ボール箱用シート及び段ボール箱は、上フラップをロック状態で容易かつ確実に折り曲げることができる。
【図面の簡単な説明】
【００１６】
【図１】本考案の一実施形態に係る段ボール箱用シートを示す模式的平面図である（段ボール箱の展開図である）。
【図２】図１の段ボール箱用シートの要部を拡大した模式的平面図である。
【図３】図１の段ボール箱用シートを組立てた状態（段ボール箱）を示す模式的斜視図である。
【考案を実施するための形態】
【００１７】
以下、適宜図面を参照しつつ、本考案の実施の形態を詳説する。
【００１８】
図３の段ボール箱１は、図１及び図２の１枚の段ボール箱用シート１０が組み立てられて構成される。この段ボール箱用シート１０は、図３に示すように、４つの側壁１５，１６，１７，１８を有する四角筒状部１３と、側壁１５，１６の上縁から連接される上フラップ２０とを備えている。また、この段ボール箱用シート１０は、底面パネルから構成される底壁１１を有している。
【００１９】
上記四角筒状部１３は、正面側の側壁を構成する正面パネル１５と、背面側の側壁を構成する背面パネル１６とを有している。上記正面パネル１５及び背面パネル１６は、図１に示すように、それぞれ上記底面パネル１１から連接されている。また、上記四角筒状部１３は、左右それぞれの側壁１７，１８を構成する複数の側面パネルを有し、この複数の側面パネルは、底面パネル１１から連接される第一側面パネル１７ａ，１８ａと、正面パネル１５及び背面パネル１６からそれぞれ連接される一対の第二側面パネル１７ｂ，１８ｂとから構成される。つまり、正面パネル１５及び背面パネル１６が折り曲げられた後に、第一側面パネル１７ａ，１８ａ及び一対の第二側面パネル１７ｂ，１８ｂがそれぞれ折り曲げられ接着されることで、第一側面パネル１７ａ，１８ａ及び一対の第二側面パネル１７ｂ，１８ｂによって側壁１５，１６，１７，１８が形成される。なお、各パネル間には折り曲げを容易にする折り曲げ容易線１３ａが形成されている。図１の展開図中の細線は折り曲げ容易線を示しており、これらの折り曲げ容易線１３ａとしては罫線加工によって形成されていることが好ましい。
【００２０】
この段ボール箱１は、図３に示すように組立状態で略直方体形状に形成される。当該段ボール箱１のサイズとしては特に限定されず、内容物である商品の大きさ等を考慮して適宜設定される。対向する上記正面側の側壁（正面パネル１５）と背面側の側壁（背面パネル１６）とは同型及び同サイズの矩形形状を有している。また、対向する左右の側壁１７，１８は同型及び同サイズの矩形形状を有している。この側壁１７，１８を構成する第一側面パネル１７ａ，１８ａも同型及び同サイズの矩形形状を有し、第二側面パネル１７ｂ，１８ｂも同型及び同サイズの矩形形状を有している。また、各側壁１５，１６，１７，１８は等しい高さを有している。
【００２１】
当該段ボール箱用シート１０は、均一な厚さの段ボール紙を用いて形成される。この段ボール紙は、強度の高さ及び加工成形の容易さの観点から、波形に形成された中芯、この中芯の表面側に積層される表ライナ及び裏面側に積層される裏ライナを備える両面段ボールが好適に用いられる。なお、段ボール紙の波目方向（中芯の稜線に沿う方向）は、特に限定されないが、底面パネル１１から正面パネル１５及び背面パネル１６の連接方向（組立状態の正面パネル１５及び背面パネル１６の立設方向）と平行に配設させることが好ましい。換言すると、上記波目方向が後述する第一突起部２３及び第二突起部２４の立設方向に沿って配設させることが好ましく、これにより第一突起部２３及び第二突起部２４の強度に優れる。また、上記段ボール紙の厚さは特に限定されるものではないが、この厚さとしては、１ｍｍ以上が好ましく、２ｍｍ以上がより好ましく、一方５ｍｍ以下が好ましく、４ｍｍ以下がより好ましい。
【００２２】
当該段ボール箱１は一対の上記上フラップ２０を有しており、この上フラップ２０は、四つの側壁のうち正面側及び背面側の側壁（正面パネル１５及び背面パネル１６）から連接されている。各上フラップ２０の幅は側壁（正面パネル１５及び背面パネル１６）の幅と略同一に設けられている。また、各上フラップ２０の高さは、特に限定されるものではないが、図示例では底面パネル１１の奥行の１／４程度に設けられている。
【００２３】
上フラップ２０と、側壁（正面パネル１５又は背面パネル１６）との連結部分にはロック機構用切込線が設けられ、ロック機構用切込線は、上フラップ２０に向けて突出するコ字状の第一切込線２２Ａと、側壁（正面パネル１５又は背面パネル１６）に向けて突出するコ字状の第二切込線２２Ｂとを交互に有している。ここで、上記ロック機構用切込線は、一の上フラップ２０の連結部分に複数の上記切込線群２１を有し、この切込線群２１は一対の上記第一切込線２２Ａとその間の第二切込線２２Ｂとが連続して設けられている。なお、上記第一切込線２２Ａ及び第二切込線２２Ｂは、表ライナから裏ライナまで貫通している。
【００２４】
上記切込線群２１は、上述のように一の上フラップ２０と側壁１５，１６との連結部分に複数設けられており、具体的には、上フラップ２０と側壁１５，１６との各連設部分にそれぞれ５本の切込線群２１が互いに離間して設けられている。なお、正面側及び背面側の双方に切込線群２１が同様に形成されているが、以下の説明において、まず正面側の一つの切込線群２１を例にとり構成を説明する。
【００２５】
上記切込線群２１は、側壁１５の上縁から上フラップ２０に向けて突出する一対の第一突起部２３と、一対の第一突起部２３の間かつ上フラップ２０の下縁から側壁１５に向けて突出する第二突起部２４とを形成するよう設けられている。ここで、一対の第一突起部２３はそれぞれ略同形状に形成されている。
【００２６】
上記切込線群２１についてより具体的に説明すると、上記切込線群２１は、図２に示すように、中央に位置する第一水平部２１ａ、この第一水平部２１ａの両端から垂直に上フラップ２０側に延設された一対の第一鉛直部２１ｂ、一対の第一鉛直部２１ｂの両端から第一水平部２１ａと平行に外側に延設された一対の第二水平部２１ｃ、及び第二水平部２１ｃの両端から側壁１５側に延設された第二鉛直部２１ｄを有している。また、上記切込線群２１は、上記第二鉛直部２１ｄの両端から外側に延設される一対の第三水平部２１ｅを有している。この第三水平部２１ｅは、第一水平部２１ａと同一仮想直線上に位置している。なお、各切込線群２１は左右対称形状に形成されている。
【００２７】
つまり、第一水平部２１ａと一対の第一鉛直部２１ｂとによって区画される領域によって上記第二切込線２２Ｂが構成され、第一鉛直部２１ｂと第二水平部２１ｃと第二鉛直部２１ｄとによって第一切込線２２Ａが構成されている。すなわち、本実施形態においては、第一切込線２２Ａと第二切込線２２Ｂとは第一鉛直部２１ｂを共有した構成を有している。
【００２８】
また、切込線群２１は上述のように構成されているので、第二切込線２２Ｂ（第一水平部２１ａ及び一対の第一鉛直部２１ｂ）によって区画される領域によって上記第二突起部２４が構成され、第一切込線２２Ａ（第一鉛直部２１ｂ、第二水平部２１ｃ及び第二鉛直部２１ｄ）によって区画される領域によって上記第一突起部２３がそれぞれ構成されることになる。換言すると、当該段ボール箱用シート１０は１枚の段ボール紙からなるので、上フラップ２０には、第一突起部２３が切離されることで一対の凹部が形成され、この凹部の縁部は（第一鉛直部２１ｂ、第二水平部２１ｃ及び第二鉛直部２１ｄ）から構成される。一方、側壁１５には、第二突起部２４が切離されることで一つの凹部が形成され、この凹部の縁部は（第一水平部２１ａ及び一対の第一鉛直部２１ｂ）によって構成される。このため、上フラップ２０が折り曲げられた際に、上記上フラップ２０の一対の凹部にそれぞれ第一突起部２３が係合し、また上記側壁１５の凹部に第二突起部２４が係合することで、上フラップ２０のロック状態が得られる。なお、切込線群２１が上述のように第三水平部２１ｅを有するため、第一突起部２３は基端部（第二鉛直部２１ｄと第三水平部２１ｅとの交点付近）において上フラップ２０と容易かつ的確に切り離され、これにより上記上フラップ２０のロック状態を容易かつ確実に得ることができる。
【００２９】
各第一切込線２２Ａの幅（第一突起部２３の幅、第二水平部２１ｃの長さＷ１）及び第二切込線２２Ｂの幅（第二突起部２４の幅、第一水平部２１ａの長さＷ２）は特に限定されるものではないが、第二切込線２２Ｂの幅（Ｗ２）としては第一切込線２２Ａの幅（Ｗ１）の０．５倍以上が好ましく、１倍以上がより好ましく、１．５倍以上がさらに好ましい。第一切込線２２Ａの幅（Ｗ１）に対して第二切込線２２Ｂの幅（Ｗ２）が上記下限未満であると、第二突起部２４が小さくなり過ぎ、第二突起部２４によるロック状態が的確に得られなくなるおそれが生ずる。一方、第二切込線２２Ｂの幅（Ｗ２）としては第一切込線２２Ａの幅（Ｗ１）の３倍以下が好ましく、２．５倍以下がより好ましく、２倍以下がさらに好ましい。第一突起部２３の幅（Ｗ１）に対して第二突起部２４の幅（Ｗ２）が上記上限を超えると、第一突起部２３が小さくなり過ぎ、一対の第一突起部２３によるロック状態が的確に得られなくなるおそれが生ずる。
【００３０】
また、上記第一切込線２２Ａ及び第二切込線２２Ｂの突出高さ（第一突起部２３及び第二突起部２４の突出高さ、第一鉛直部２１ｂ及び第二鉛直部２１ｄの長さＨ）は、特に限定されるものではないが、この突出高さ（Ｈ）としては段ボール紙の厚みの０．５倍以上が好ましく、０．８倍以上がより好ましく、０．９倍以上がさらに好ましい。この突出高さ（Ｈ）が上記下限未満であるとロック状態に際して段ボール紙の端縁（上フラップ２０の下縁又は側壁１５の上縁）と的確に当接しづらくなるおそれがある。一方、上記突出高さ（Ｈ）としては段ボール紙厚みの１．５倍以下が好ましく、１．２倍以下がより好ましく、１．１倍以下がさらに好ましい。上記突出高さ（Ｈ）が上記上限を超えると、上フラップ２０を折り曲げる際に第一突起部２３及び第二突起部２４が却って邪魔となり、折り曲げ容易性が低下するおそれがある。
【００３１】
上記第三水平部２１ｅの長さ（Ｗ３）は特に限定されないが、この長さ（Ｗ３）としては段ボール紙の厚みの０．５倍以上が好ましく、１倍以上がより好ましく、２倍以上がさらに好ましい。この第三水平部２１ｅの長さ（Ｗ３）が上記下限未満であると上述のような第三水平部２１ｅによるロック状態への移行の容易性及び的確性の効果が十分に奏されないおそれがある。一方、上記第三水平部２１ｅの長さ（Ｗ３）としては５倍以下が好ましく、４倍以下がより好ましく、３倍以下がさらに好ましい。上記第三水平部２１ｅの長さ（Ｗ３）が上記上限を超えると、第三水平部２１ｅの存在が上フラップ２０と側壁１５との遊び部分となり、段ボール紙に撚れ等が生じている場合に、上フラップ２０を折り曲げた際に切込線群２１における上フラップ２０と側壁１５との位置関係にズレが生じ、第一突起部２３と上フラップ２０の凹部との係合や第二突起部２４と側壁１５の凹部との係合が円滑に行えなくなる可能性が生ずる。
【００３２】
また、当該段ボール箱用シート１０は、上フラップ２０の折り曲げを容易とする折り曲げ容易線２６を有している。この上フラップ用の折り曲げ容易線２６は、複数の上記切込線群２１間に形成されている。つまり、一対の第一切込線２２Ａのうち一方側の第一切込線２２Ａと、この一方側に隣接する他対の第一切込線２２Ａのうち他方側の第一切込線２２Ａとの間に、上記折り曲げ容易線２６が形成されている。より具体的に説明すると、一の切込線群２１の一方の第三水平部２１ｅと、この第三水平部２１ｅに隣接する他の切込線群２１の第三水平部２１ｅとを結ぶように上記折り曲げ容易線２６が形成されている。上記折り曲げ容易線２６は、上フラップ２０の折り曲げを容易とするための線であり、例えば罫線加工によって形成することができる。
【００３３】
なお、一の切込線群２１の一方の第一切込線２２Ａ（例えば一の切込線群２１の右側の第一切込線２２Ａ）と、この第一切込線２２Ａに隣接する他の切込線群２１の他方の第一切込線２２Ａ（上記第一切込線２２Ａの右側に隣接する第一切込線２２Ａ）との間隔（Ｗ４）は特に限定されるものではない。但し、この隣接する他の切込線群２１との第一切込線２２Ａ同士の間隔（Ｗ４）としては、第二切込線２２Ｂの幅（Ｗ２）の０．５倍以上が好ましく、０．７倍以上がより好ましく、０．９倍以下がさらに好ましく、一方、上記間隔（Ｗ４）としては、第二切込線２２Ｂの幅（Ｗ２）の１．５倍以上が好ましく、１．３倍以上がより好ましく、１．１倍以下がさらに好ましい。上記間隔（Ｗ４）が上記範囲内であることで、複数の第一突起部２３を略等間隔に上フラップ２０と側壁１５との連結部分の幅方向に配置することができる。
【００３４】
また、上記隣接する他の切込線群２１との第一切込線２２Ａ同士の間隔（Ｗ４）に対する上記第三水平部２１ｅの長さ（Ｗ３）の比は、１／２未満であることが好ましい。ここで、この第三水平部２１ｅの長さ（Ｗ３）としては、上記間隔（Ｗ４）の２／５未満であることがより好ましい。上記第三水平部２１ｅの長さ（Ｗ３）が上記上限を超えると、上フラップ２０と側壁１５との連結部分（上記折り曲げ容易線２６の形成部分）が狭くなり過ぎ、上フラップ２０と側壁１５との連接状態が不十分となるおそれがある。一方、この第三水平部２１ｅの長さ（Ｗ３）としては、上記間隔（Ｗ４）の１／５以上が好ましく、１／４以上がより好ましい。上記第三水平部２１ｅの長さ（Ｗ３）が上記下限未満であると、第三水平部２１ｅが小さくなり過ぎ第三水平部２１ｅとしての機能が十分に発揮できなくなる、あるいは上記間隔（Ｗ４）が大きくなり過ぎるという不都合を生ずる。
【００３５】
上述の構成からなる当該段ボール箱用シート１０を用いて段ボール箱１を箱型に組立てる手順は、正面パネル１５及び背面パネル１６を上方に折り曲げた後、側面パネル１７ａ，１７ｂ，１８ａ，１８ｂを内側に折り曲げて接着することで四角筒状部１３を形成する。次に、上フラップ２０を四角筒状部１３の内側に折り曲げることで、段ボール箱１が組立てられる。なお、このような組立作業は製函機などによって自動的に行われる。
【００３６】
当該段ボール箱１は、上フラップ２０を折り曲げた際に、上述のように第一切込線２２Ａによって側壁１５，１６には上方に向け突出するコ字状の第一突起部２３が形成され、第二切込線２２Ｂによって上フラップ２０には側方に向け突出するコ字状の第二突起部２４が形成されることになる。そして、一対の第一突起部２３が上フラップ２０の下縁と当接（上フラップ２０の凹部に係合）するとともに第二突起部２４が側壁１５，１６の上縁に当接（側壁１５，１６の凹部に係合）することで、上フラップ２０の立ち上がりが防止されたロック状態を得ることができる。
【００３７】
当該段ボール箱用シート１０は一対の上記第一切込線２２Ａとその間の第二切込線２２Ｂとが連続して設けられているので、一対の第一突起部２３の間に第二突起部２４が配設されることになり、湿気等によって段ボール紙が多少変形していても、容易かつ確実にロック状態が得られる。
【００３８】
さらに、当該段ボール箱１にあっては、第一突起部２３及び第二突起部２４は、切込線群２１の複数の水平部２１ａ，２１ｃ及び鉛直部２１ｂ，２１ｄからコ字状に構成されているので、第一突起部２３及び第二突起部２４がそれぞれ側壁１５，１６の上縁及び上フラップ２０の下縁と垂直な側辺を有するとともに、また第一突起部２３及び第二突起部２４が係合する凹部も垂直な側辺を有する。このため、当該段ボール箱１は、ロック状態において第一突起部２３及び第二突起部２４の垂直な側辺と上記凹部の垂直な側辺とが全体的に当接し、確実なロック状態が得られる。
【００３９】
また、当該段ボール箱１は、複数の切込線群２１の間に折り曲げ容易線２６を有するので、折り曲げ容易線２６に沿って上フラップ２０を容易かつ的確に折り曲げることができる。また、このように的確に折り曲げられるため、第一突起部２３及びその間の第二突起部２４が上記凹部に的確に係合しやすく、これにより容易かつ確実にロック状態を得ることかできる。
【００４０】
なお、上記実施形態は上記構成から上述の利点を奏するものであったが、本考案は上記実施形態の構成に限定されるものではなく、本考案の意図する範囲内において適宜設計変更可能である。
【００４１】
つまり、上記実施形態においては、一の切込線群２１によって一対の第一突起部２３とその間の第二突起部２４とが形成されるものについて説明したが、本考案はこれに限定されず、一の切込線群によって一対の第二突起部（上フラップの下縁から突出する突起部）とその間の第一突起部（側壁の上縁から突出する突起部）とが形成されるものも本考案の意図する範囲内である。すなわち、一対の第二切込線とその間の第一切込線とが連続して設けられているものも本考案の意図する範囲内である。なお、このように一対の第二切込線及びその間の第一切込線とが連続する切込線群を設けた場合にあっても、上記実施形態と同様の構成を採用することも適宜設計変更可能である。さらに、上述のように一対の第二切込線及びその間の第一切込線とが連続する切込線群と、上記実施形態のように一対の第一切込線とその間の第二切込線とが連続する切込線群との双方を適宜設けた段ボール箱用シートも本考案の意図する範囲内である。
【００４２】
また、上記実施形態においては、第一切込線と第二切込線とが連続するものについて説明したが本発明は必ずしもこれに限定されるものではない。つまり、第一切込線と第二切込線とが連続せずに幅方向に離間し、第一切込線と第二切込線とが折り曲げ容易線等によって接続されているようなものも本考案の意図する範囲内である。また、第一切込線と第二切込線とが連続する場合であっても、上記実施形態のように共有する部分（第一鉛直部）が存在するものに限定されない。さらに、上記実施形態においては、第一突起部と第二突起部とが同一高さを有するものについて説明したが、本発明はこれに限定されるものではなく、これらの突起部が異なる高さを有するものも本考案の意図する範囲内である。また、上記実施形態においては、一対の第一突起部が同一形状のものについて説明したが、例えば一対の第一突起部（又は一対の第二突起部）が異なる形状を有するものも本考案の意図する範囲内である。
【００４３】
さらに、上記実施形態にあっては、複数本の切込線群２１を設けたものについて説明したが、本考案はこれに限定されるものではなく、例えば上フラップと側壁との一つの連結部分に一本の切込線群２１のみを設けたものも本考案の意図する範囲内である。ただし、上記実施形態のように一つの連結部分に対して複数本の切込線群２１を設けることが好ましく、これにより多数の第一突起部２３及び第二突起部２４で確実なロック状態を得ることができる。
【００４４】
また、上記実施形態においては図１に示すように側壁１５，１６の幅方向の全体に亘って複数本の切込線群２１を配設したため、上フラップ２０が幅方向全体に亘って均一にロックされる利点を奏するが、本考案はこれに限定されない。つまり、切込線群２１を、例えば側壁の幅方向の両側部分に形成せずに中央部分のみに形成したり、逆に側壁の幅方向の中央部分に形成せずに両側部分に形成することも適宜設計変更可能である。
【００４５】
さらに、上記実施形態においては、底面パネル１１から連接された正面パネル１５及び背面パネル１６、並びに底面パネル１１と正面パネル１５と背面パネル１６とからそれぞれ連接された各側面パネル１７ａ，１７ｂ，１８ａ，１８ｂから四角筒状部１３を形成したものについて説明したが、本考案はこれに限定されない。つまり、四つの側壁パネルが一直線上に連接され、端部同士の側壁パネル同士が接合されることで筒状に形成される四角筒状部を有する段ボール箱用シートにも本考案は適用可能である。
【００４６】
また、上記実施形態では正面パネル１５及び背面パネル１６からそれぞれ上フラップ２０が連接されたものについて説明したが、四角筒状部の各側壁からそれぞれ上フラップが連接された段ボール箱用シートにも本考案は適用可能である。
【００４７】
また、上記実施形態は各水平部２１ａ，２１ｃ及び鉛直部２１ｂ，２１ｄから構成される第一突起部２３及び第二突起部２４の側辺（並びに各凹部の側辺）が垂直となるものについて説明したが、各突起部のロック機能が害されない限り本考案はこれに限定されない。つまり、第一突起部及び第二突起部の側辺が上フラップの下縁又は側壁の上縁に対して垂直でないものであっても良く、例えば第一突起部又は第二突起部が台形状に形成されているものも本考案の意図する範囲内である。
【００４８】
また、上記実施形態においては、切込線群２１が第一突起部２３の外側方向に延出する第三水平部２１ｅを有するものについて説明したが、本考案はこれに限定されるものではない。ただし、切込線群２１が上記第三水平部２１ｅを有することが好ましく、これにより上記実施形態で説明したような利点を奏することができる。
【００４９】
また、上記実施形態においては複数の切込線群２１の間に上フラップ用の折り曲げ容易線２６を設けたものについて説明したが、本考案はこれに限定されるものではない。また、上記実施形態のように切込線群２１に連続する折り曲げ容易線２６を設けたため、切込線群２１同士の間で上フラップ２０と側壁１５，１６とがより的確かつ確実折り曲げることが可能であるという利点を奏するものであったが、複数の切込線群の間に折り曲げ容易線を設ける場合にあっても、上記構成に限定されない。つまり、切込線群と折り曲げ容易線とを連続させずに、切込線群と折り曲げ容易線とを幅方向に間隔をあけて配設することも適宜設計変更可能な事項である。
【産業上の利用可能性】
【００５０】
以上のように、本考案の段ボール箱用シート及び段ボール箱は、容易かつ確実にロック状態に上フラップを折り曲げることができ、種々の商品を包装する箱などに好適に用いられる。
【符号の説明】
【００５１】
１  段ボール箱
１０  段ボール箱用シート
１１  底壁（底面パネル）
１３  四角筒状部
１３ａ  折り曲げ容易線
１５  正面パネル（正面側の側壁）
１６  背面パネル（背面側の側壁）
１７，１８  左右の側壁
１７ａ，１８ａ  第一側面パネル
１７ｂ，１８ｂ  第二側面パネル
２０  上フラップ
２１  切込線
２１ａ  第一水平部
２１ｂ  第一鉛直部
２１ｃ  第二水平部
２１ｄ  第二鉛直部
２１ｅ  第三水平部
２２Ａ  第一切込線
２２Ｂ  第二切込線
２３  第一突起部
２４  第二突起部
２６  折り曲げ容易線
【図１】
0003183443.tif 000003
【図２】
0003183443.tif 000004
【図３】
0003183443.tif 000005
【手続補正書】
【提出日】平成25年3月8日(2013.3.8)
【手続補正１】
【補正対象書類名】実用新案登録請求の範囲
【補正対象項目名】全文
【補正方法】変更
【補正の内容】
【実用新案登録請求の範囲】
【請求項１】
１枚の段ボール紙からなり、
４つの側壁を有する四角筒状部及び上記四角筒状部のうち少なくとも対向する一対の側壁の上縁から連結される上フラップを備え、
上記側壁及び上フラップの連結部分に、上フラップに向けて突出するコ字状の第一切込線と、側壁に向けて突出するコ字状の第二切込線とを交互に有する段ボール箱用シート。
【請求項２】
一対の上記第一切込線とその間の第二切込線とが連続して設けられている切込線群を構成する請求項１に記載の段ボール箱用シート。
【請求項３】
一対の上フラップの連結部分に、複数の上記切込線群とその切込線群間に形成される折り曲げ容易線を有する請求項２に記載の段ボール箱用シート。
【請求項４】
上記第二切込線の幅（Ｗ２）が第一切込線の幅（Ｗ１）の０．５倍以上３倍以下である請求項１、請求項２又は請求項３に記載の段ボール箱用シート。
【請求項５】
上記第一切込線又は第二切込線の突出高さ（Ｈ）が、上記段ボール紙の厚みの０．５倍以上１．５倍以下である請求項１から請求項４のいずれか１項に記載の段ボール箱用シート。
【請求項６】
請求項１から請求項５のいずれか１項に記載の段ボール箱用シートを組立ててなる段ボール箱。